(57)【特許請求の範囲】
【請求項１】
用紙が収納される用紙収納部と、
前記用紙収納部の前記用紙の搬送方向の後ろ側に配置される部分に設けられ、前記用紙の搬送方向の後端部が浮き上がるのを規制することが可能な浮き上がり規制部とを備え、
前記用紙が前記用紙収納部に収納される際に、前記用紙収納部の前記用紙の搬送方向の後ろ側に配置される部分に設けられた前記浮き上がり規制部は、前記用紙収納部の前記用紙の後端部が当接される部分の上端部よりも高い位置に配置されている、給紙カートリッジ。
【請求項２】
前記用紙は、少なくとも前記後端部に、印刷後に切り落とされる余白部を含み、
前記浮き上がり規制部は、前記用紙の前記後端部に含まれる前記余白部に当接することによって、前記用紙の前記後端部が浮き上がるのを規制するように構成されている、請求項１に記載の給紙カートリッジ。
【請求項３】
前記浮き上がり規制部は、少なくとも前記用紙の搬送方向と直交する前記用紙の幅方向の両端部近傍に配置されている、請求項１または２に記載の給紙カートリッジ。
【請求項４】
前記用紙収納部とは別個に設けられ、前記用紙収納部を覆うための蓋部をさらに備え、
前記蓋部が閉じられることによって、前記浮き上がり規制部は、前記蓋部に押されることにより、前記用紙収納部の前記用紙の後端部が当接される部分の上端部よりも低い位置に配置されるように構成されている、請求項１〜３のいずれか１項に記載の給紙カートリッジ。
【請求項５】
前記浮き上がり規制部は、少なくとも上下方向に撓み変形可能に構成されており、
前記浮き上がり規制部は、下方に前記蓋部が閉じられる際に、撓み変形されることによって、前記用紙収納部の前記用紙の後端部が当接される部分の上端部よりも高い位置から前記用紙収納部の前記用紙の後端部が当接される部分の上端部よりも低い位置に配置されるように移動されるように構成されている、請求項４に記載の給紙カートリッジ。
【請求項６】
前記用紙収納部の前記用紙の後端部が当接される部分は、前記用紙の搬送方向の後ろ側に配置される壁部を含み、
前記浮き上がり規制部は、前記壁部に取り付けられている、請求項１〜５のいずれか１項に記載の給紙カートリッジ。
【発明の詳細な説明】
【技術分野】
【０００１】
この発明は、給紙カートリッジに関し、特に、用紙の浮き上がりを規制するための浮き上がり規制部を備えた給紙カートリッジに関する。
【背景技術】
【０００２】
従来、用紙の浮き上がりを規制するための浮き上がり規制部を備えた給紙カートリッジが知られている（たとえば、特許文献１〜５参照）。
【０００３】
上記特許文献１に記載のシート搬送装置（給紙カートリッジ）は、シート積載部（用紙収納部）と、シートの搬送方向の後端部が当接される後端ガイドと、シートの搬送方向の後端部がカールする（浮き上がる）のを規制するためのプレート形状の押さえ部材（浮き上がり規制部）とを備えている。このシート搬送装置では、押さえ部材が上下方向に回動可能なように後端ガイドに取り付けられることによって、押さえ部材が、押さえ部材の自重または付勢バネの付勢力により下方向に回動されて、押さえ部材の下方に配置されたシートを下方向に押さえるように構成されている。これにより、シートの後端部が後端ガイドからはみ出すのを抑制することができるので、シートを搬送方向の所定の位置に配置することが可能である。
【０００４】
また、上記特許文献２に記載の給紙トレイ（給紙カートリッジ）は、転写紙（用紙）の搬送方向の後端部が当接される壁部と、転写紙の搬送方向に平行に配置され、転写紙の搬送方向と直交する幅方向の両端部が当接されるサイドフェンスと、転写紙が浮き上がるのを規制するための転写紙押さえ部材（浮き上がり規制部）とを含んでいる。また、この給紙トレイでは、転写紙押さえ部材により転写紙の搬送方向と直交する幅方向の両端部が浮き上がるのを規制することによって、転写紙の幅方向の両端部がサイドフェンスからはみ出すのを抑制することができるので、転写紙を搬送方向と直交する幅方向の所定の位置に配置することが可能である。
【０００５】
また、上記特許文献３に記載のスタンプ作成装置に取り付けられるマガジン体（給紙カートリッジ）は、原稿シートの搬送方向に平行に配置され、原稿シートの搬送方向と直交する幅方向の両端部が当接される枠体と、原稿シートが浮き上がるのを規制するための浮き上がり規制片とを含んでいる。また、このマガジン体では、浮き上がり規制片により原稿シートの搬送方向と直交する幅方向の両端部が浮き上がるのを規制することによって、原稿シートの幅方向の両端部が枠体からはみ出すのを抑制することができるので、原稿シートを搬送方向と直交する幅方向の所定の位置に配置することが可能である。
【０００６】
また、上記特許文献４に記載の給紙トレイ（給紙カートリッジ）は、用紙の搬送方向の後端部が当接されるエンドフェンスと、用紙の搬送方向に平行に配置され、用紙の搬送方向と直交する幅方向の両端部が当接される規制部材と、用紙が浮き上がるのを規制するためのカール押さえ手段とを含んでいる。また、この給紙トレイでは、カール押さえ手段により用紙の搬送方向と直交する幅方向の両端部が浮き上がるのを規制することによって、用紙の幅方向の両端部が規制部材からはみ出すのを抑制することができるので、用紙を搬送方向と直交する幅方向の所定の位置に配置することが可能である。
【０００７】
また、上記特許文献５に記載の給紙装置の手差し給紙部（給紙カートリッジ）は、用紙の搬送方向に平行に配置され、用紙の搬送方向と直交する幅方向の両端部が当接されるサイドフェンスと、用紙が浮き上がるのを規制するための押さえ部材とを含んでいる。また、この手差し給紙部では、押さえ部材により用紙の搬送方向と直交する幅方向の両端部が浮き上がるのを規制することによって、用紙の幅方向の両端部がサイドフェンスからはみ出すのを抑制することができるので、用紙を搬送方向と直交する幅方向の所定の位置に配置することが可能である。
【０００８】
【特許文献１】特開平７−３１５６０７号公報
【特許文献２】特開平７−２１５５０８号公報
【特許文献３】特許第３８３７９４０号公報
【特許文献４】特開２００１−８８９７０号公報
【特許文献５】特開２００３−３１２８７２号公報
【発明の開示】
【発明が解決しようとする課題】
【０００９】
しかしながら、上記特許文献１に記載のシート搬送装置では、押さえ部材が自重または付勢バネの付勢力により下方向に回動されることによって、下方に配置されたシートを下方向に押さえる構成であるので、シートの収納時に、シートを押さえ部材の下方の位置に積載する際に、ユーザが押さえ部材を上方向に回動させる必要がある。したがって、ユーザによるシートの収納作業が煩雑になるという問題点がある。
【００１０】
また、上記特許文献２に記載の給紙トレイ、上記特許文献３に記載のマガジン体、上記特許文献４に記載の給紙トレイおよび上記特許文献５に記載の手差し給紙部では、用紙を搬送方向と直交する幅方向の所定の位置に配置することが可能である一方で、用紙の搬送方向の後端部が浮き上がる場合には、用紙を搬送方向の所定の位置に配置することができない場合があるという問題点がある。
【００１１】
この発明は、上記のような課題を解決するためになされたものであり、この発明の１つの目的は、用紙の搬送方向の後端部が浮き上がる場合にも、ユーザによる収納作業を煩雑化させることなく、用紙を搬送方向の所定の位置に配置することが可能な給紙カートリッジを提供することである。
【課題を解決するための手段および発明の効果】
【００１２】
この発明の一の局面による給紙カートリッジは、用紙が収納される用紙収納部と、用紙収納部の用紙の搬送方向の後ろ側に配置される部分に設けられ、用紙の搬送方向の後端部が浮き上がるのを規制することが可能な浮き上がり規制部とを備え、用紙が用紙収納部に収納される際に、用紙収納部の用紙の搬送方向の後ろ側に配置される部分に設けられた浮き上がり規制部は、用紙収納部の用紙の後端部が当接される部分の上端部よりも高い位置に配置されている。
【００１３】
この一の局面による給紙カートリッジでは、上記のように、用紙が収納される用紙収納部と、用紙の搬送方向の後端部が浮き上がるのを規制することが可能な浮き上がり規制部とを設けることによって、用紙の搬送方向の後端部が浮き上がる場合にも、浮き上がり規制部によって用紙の後端部の浮き上がりが規制される。これにより、浮き上がり規制部が、用紙の後端部が用紙収納部の用紙の後端部が当接される部分の上端部から上方にはみ出すのを抑制することができるので、用紙を搬送方向の所定の位置に配置することができる。また、用紙が用紙収納部に収納される際に、浮き上がり規制部を、用紙収納部の用紙の後端部が当接される部分の上端部よりも高い位置に配置することによって、ユーザが浮き上がり規制部を上方向に持ち上げることなく、用紙を浮き上がり規制部の下方に配置することができるので、容易に用紙を用紙収納部に収納することができる。したがって、この給紙カートリッジは、ユーザによる用紙の収納作業を煩雑化させることなく、用紙を搬送方向の所定の位置に配置することができる。
【００１４】
上記一の局面による給紙カートリッジにおいて、好ましくは、用紙は、少なくとも後端部に、印刷後に切り落とされる余白部を含み、浮き上がり規制部は、用紙の後端部に含まれる余白部に当接することによって、用紙の後端部が浮き上がるのを規制するように構成されている。このように構成すれば、浮き上がり規制部が用紙の印刷される部分には当接されないので、用紙の印刷される部分が浮き上がり規制部によって損傷されるのを抑制することができる。
【００１５】
上記一の局面による給紙カートリッジにおいて、好ましくは、浮き上がり規制部は、少なくとも用紙の搬送方向と直交する用紙の幅方向の両端部近傍に配置されている。このように構成すれば、浮き上がる可能性の大きい用紙の幅方向の両端部が浮き上がるのを規制することができるので、確実に用紙を用紙収納部に配置することができる。
【００１６】
上記一の局面による給紙カートリッジにおいて、好ましくは、用紙収納部とは別個に設けられ、用紙収納部を覆うための蓋部をさらに備え、蓋部が閉じられることによって、浮き上がり規制部は、蓋部に押されることにより、用紙収納部の用紙の後端部が当接される部分の上端部よりも低い位置に配置されるように構成されている。このように構成すれば、蓋部が閉じられた状態で、浮き上がり規制部により、用紙が用紙収納部の用紙の後端部が当接される部分の上端部よりも低い位置で規制されるので、用紙を用紙収納部の用紙の後端部が当接される部分に確実に当接させることができる。その結果、確実に用紙を搬送方向の所定の位置に配置することができる。
【００１７】
この場合、好ましくは、浮き上がり規制部は、少なくとも上下方向に撓み変形可能に構成されており、浮き上がり規制部は、下方に蓋部が閉じられる際に、撓み変形されることによって、用紙収納部の用紙の後端部が当接される部分の上端部よりも高い位置から用紙収納部の用紙の後端部が当接される部分の上端部よりも低い位置に配置されるように移動されるように構成されている。このように構成すれば、浮き上がり規制部にヒンジなどの回動機構を別途設けることなく、浮き上がり規制部を下方に移動させることができるので、部品点数を増加させることなく、浮き上がり規制部を移動させることができる。
【００１８】
上記一の局面による給紙カートリッジにおいて、好ましくは、用紙収納部の用紙の後端部が当接される部分は、用紙の搬送方向の後ろ側に配置される壁部を含み、浮き上がり規制部は、壁部に取り付けられている。このように構成すれば、浮き上がり規制部を容易に、用紙の後端部近傍に配置することができるので、容易に用紙の後端部の浮き上がりを規制することができる。
【発明を実施するための最良の形態】
【００１９】
以下、本発明を具体化した実施形態を図面に基づいて説明する。
【００２０】
図１は、本発明の一実施形態による給紙カートリッジを昇華型プリンタに取り付けた状態の全体構造を示した斜視図である。図２は、図１に示した一実施形態による給紙カートリッジを昇華型プリンタから取り外した状態の全体構造を示した斜視図である。また、図３〜図１５は、図１に示した本発明の一実施形態による給紙カートリッジの詳細構造を説明するための図である。図１〜図１５を参照して、本発明の一実施形態による給紙カートリッジ１の構成について説明する。なお、本実施形態では、昇華型プリンタ１０に装着される給紙カートリッジ１に本発明を適用した場合について説明する。
【００２１】
本発明の一実施形態による給紙カートリッジ１は、図１および図２に示すように、昇華型プリンタ１０の装置本体１１の用紙供給口１１ａに対して着脱可能に構成されている。この給紙カートリッジ１は、図３〜図５に示すように、用紙収納部材２と、開閉可能な蓋部材３と、用紙押上げ部材４とを含んでいる。また、昇華型プリンタ１０は、図２に示すように、印字部（図示せず）を含む装置本体１１と、昇華型プリンタ１０に供給される用紙２０（図１参照）を１枚ずつ分離する用紙分離部材１２と、給紙カートリッジ１の用紙押上げ部材４を押上げる押上げレバー１３と、用紙２０を昇華型プリンタ１０の内部に搬送するための給紙ローラ１４と、印刷された用紙２０を外部に排紙する２つの排紙ローラ１５とを含んでいる。なお、用紙収納部材２は、本発明の「用紙収納部」の一例であり、蓋部材３は、本発明の「蓋部」の一例である。
【００２２】
昇華型プリンタ１０の押上げレバー１３は、図１３に示すように、給紙カートリッジ１が装置本体１１に装着されている場合に、用紙押上げ部材４の下部を支持するように構成されている。この押上げレバー１３は、用紙押上げ部材４を上方に持ち上げることにより、用紙押上げ部材４の上部に配置されている用紙２０の前方（矢印Ｘ１方向）部を給紙ローラ１４に当接させる機能を有する。また、給紙ローラ１４は、押上げレバー１３が用紙押上げ部材４を上方に持ち上げている際に、給紙ローラ１４に当接している用紙２０が装置本体１１の内部に搬送される方向に回転するように構成されている。
【００２３】
また、用紙収納部材２は、図１に示すように、昇華型プリンタ１０に供給される用紙２０を収納するために設けられている。この用紙収納部材２の底部には、図６に示すように、用紙２０（図１参照）が載置される用紙載置部２ａが設けられている。また、用紙載置部２ａの矢印Ｘ１方向側の端部には、昇華型プリンタ１０の用紙分離部材１２（図２参照）に嵌め込まれる一対の凹部２ｂが形成されている。また、図５〜図７に示すように、用紙載置部２ａの凹部２ｂの矢印Ｘ２方向側には、後述する用紙押上げ部材４の係合部４ａと係合する一対の取付穴部２ｃが設けられている。
【００２４】
また、図６および図７に示すように、用紙収納部材２の矢印Ｘ１方向側には、用紙供給口１１ａ（図１および図２参照）内に挿入されるプリンタ挿入部２ｄが設けられている。また、このプリンタ挿入部２ｄに対応する部分において矢印Ｙ１方向側および矢印Ｙ２方向側の外側面には、それぞれ、外側に突出する係合片２ｅが設けられている。これらの係合片２ｅが昇華型プリンタ１０に設けられた係合部（図示せず）に係合するとともに、底面の一対の凹部２ｂが昇華型プリンタ１０の用紙分離部材１２（図２参照）に嵌合することによって、給紙カートリッジ１を、用紙供給口１１ａに対して着脱可能に固定することが可能となる。
【００２５】
また、図６および図７に示すように、用紙載置部２ａの矢印Ｙ１およびＹ２方向のそれぞれの端部には、用紙２０が装置本体１１の内部に搬送される方向（矢印Ｘ１方向）に実質的に平行に配置された一対の側壁部２ｆが設けられている。また、用紙収納部材２の矢印Ｙ１方向側の側壁部２ｆの矢印Ｙ１方向側と矢印Ｙ２方向側の側壁部２ｆの矢印Ｙ２方向側とには、それぞれ、蓋部材３を取り付けるための取付部２ｇが設けられている。これらの取付部２ｇは、それぞれ、用紙収納部材２の矢印Ｙ１方向側の側壁部２ｆの外側面（矢印Ｙ１方向側の面）と矢印Ｙ２方向側の側壁部２ｆの外側面（矢印Ｙ２方向側の面）とに、対向するように配置されているとともに、各外側面に対して所定の間隔を隔てて配置されている。また、取付部２ｇは、それぞれ、連結部２ｈによって、用紙収納部材２に連結されている。また、矢印Ｙ１方向側の取付部２ｇの矢印Ｙ１方向側の面および矢印Ｙ２方向側の取付部２ｇの矢印Ｙ２方向側の面の矢印Ｘ１方向側には、凹凸形状の把持部２ｉが形成されている。また、矢印Ｙ１方向側の取付部２ｇの矢印Ｙ２方向側の面と矢印Ｙ２方向側の取付部２ｇの矢印Ｙ１方向側の面との矢印Ｘ２方向側には、それぞれ、後述する蓋部材３の長穴部３ａ（図１〜図５参照）と係合する軸部２ｊが設けられている。
【００２６】
また、用紙収納部材２の矢印Ｙ１方向側の側壁部２ｆには、用紙付勢部２ｋが設けられており、用紙付勢部２ｋの矢印Ｙ１方向側の取付部２ｇに対向する面には突起片２ｌ（図７参照）が設けられている。この突起片２ｌは、後述する蓋部材３の押圧部３ｃ（図５参照）により、矢印Ｙ２方向側に向かって押圧されるように構成されている。また、用紙付勢部２ｋは、突起片２ｌが矢印Ｙ２方向に押圧された際に、矢印Ｙ２方向に弾性変形されるように構成されている。これにより、図１１に示すように、用紙載置部２ａに載置された用紙２０を、用紙収納部材２の矢印Ｙ２方向側の側壁部２ｆの矢印Ｙ１方向側の面に付勢することが可能となるので、用紙２０が用紙載置部２ａの矢印Ｙ１方向および矢印Ｙ２方向にずれるのを抑制することが可能となる。これにより、用紙２０は、搬送方向（矢印Ｘ１方向）に直交する幅方向（矢印Ｙ１方向および矢印Ｙ２方向）の所定の位置に配置される。また、用紙載置部２ａの用紙２０が搬送される方向（矢印Ｘ１方向）の後ろ側（矢印Ｘ２方向側）の端部には、用紙２０の搬送方向（矢印Ｘ１方向）と直交する幅方向（矢印Ｙ１方向および矢印Ｙ２方向）に配置された後壁部２ｍが設けられている。この後壁部２ｍは、用紙載置部２ａに載置される用紙２０の搬送方向（矢印Ｘ１方向）の後端部が当接されるように構成されている。なお、後壁部２ｍは、本発明の「壁部」の一例である。
【００２７】
また、蓋部材３は、図３および図４に示すように、用紙収納部材２に対して開閉可能に取り付けられており、用紙収納部材２の内部に埃などが侵入するのを抑制するために設けられている。蓋部材３は、図５に示すように、矢印Ｙ１方向側および矢印Ｙ２方向側に、それぞれ、用紙収納部材２の用紙載置部２ａに対して垂直な側面を有する。また、この蓋部材３の矢印Ｙ１方向側および矢印Ｙ２方向側の側面の矢印Ｘ２方向側には、それぞれ、長穴部３ａが形成されている。これら長穴部３ａは、それぞれ、矢印Ｘ１方向および矢印Ｘ２方向に延びるように形成されており、各長穴部３ａには、用紙収納部材２の軸部２ｊ（図７および図８参照）が長穴部３ａに沿ってスライド可能に取り付けられている。また、図３、図４および図８に示すように、蓋部材３は、用紙収納部材２に取り付けられて閉じた状態において、蓋部材３が矢印Ｘ２方向にスライドされた際に、用紙収納部材２に対して開口可能に構成されている。また、図１〜図５に示すように、蓋部材３の矢印Ｙ１方向側および矢印Ｙ２方向側の側面の矢印Ｘ１方向側には、それぞれ、給紙カートリッジ１が閉じた状態のときに用紙収納部材２の係合片２ｅと係合する穴部３ｂが形成されている。また、図５および図１１に示すように、蓋部材３の矢印Ｙ１方向側の側面の用紙付勢部２ｋの突起片２ｌと対向する位置には、用紙付勢部２ｋの突起片２ｌを押圧するための押圧部３ｃが設けられている。
【００２８】
また、図４〜図７に示すように、用紙押上げ部材４の矢印Ｘ２方向側の端部には、用紙収納部材２の一対の取付穴部２ｃに回動可能に係合する係合部４ａが一体的に形成されている。また、図４〜図７および図１３に示すように、用紙押上げ部材４の裏面（矢印Ｚ２方向側の面）には、用紙２０をより上部に押し上げるための突起部４ｂが一体的に形成されている。これら突起部４ｂは、図７および図１３に示すように、昇華型プリンタ１０の押上げレバー１３の上面に当接する位置に形成されている。また、図２〜図７に示すように、用紙押上げ部材４の矢印Ｘ１方向側の端部には、用紙収納部材２の凹部２ｂに対応するように一対の切欠部４ｃが形成されている。これら一対の切欠部４ｃは、給紙カートリッジ１を昇華型プリンタ１０に装着させる際に、昇華型プリンタ１０の用紙分離部材１２と用紙押上げ部材４とが当接するのを抑制する機能を有する。
【００２９】
ここで、本実施形態では、図６および図７に示すように、用紙収納部材２の後壁部２ｍには、用紙２０の搬送方向（矢印Ｘ１方向）の後端部がカールして浮き上がるのを規制するための一対の浮き上がり規制部材５が取り付けられている。具体的には、一対の浮き上がり規制部材５は、それぞれ、用紙収納部材２の後壁部２ｍの矢印Ｙ１方向側および矢印Ｙ２方向側の端部近傍に配置されている。したがって、用紙２０を用紙収納部２に収納した場合には、浮き上がり規制部材５は、用紙２０の搬送方向（矢印Ｘ１方向）と直交する幅方向（矢印Ｙ１方向および矢印Ｙ２方向）の両端部近傍に配置される。また、図８に示すように、浮き上がり規制部材５は、取付部５ａが後壁部２ｍの矢印Ｘ１方向側の面に所定の粘着力を有する両面テープ（図示せず）により接着されることによって、後壁部２ｍに取り付けられている。これにより、浮き上がり規制部材５を容易に、用紙２０の後端部近傍に配置することが可能であるので、容易に用紙２０の後端部の浮き上がりを規制することが可能である。
【００３０】
また、本実施形態では、図９に示すように、浮き上がり規制部材５は、撓み変形可能な板状の樹脂材料により形成されている。この浮き上がり規制部材５は、用紙収納部材２の後壁部２ｍの矢印Ｘ１方向側の面に接着される取付部５ａと、用紙２０に当接される本体部５ｂと、取付部５ａおよび本体部５ｂの境界部に形成された一対の切欠部５ｃとを含んでいる。なお、本体部５ｂは、本発明の「浮き上がり規制部」の一例である。また、取付部５ａと本体部５ｂとは、９０度よりも大きな角度α（約１２０度）を形成するように配置されている。このため、図８に示すように、取付部５ａが用紙収納部２の後壁部２ｍの矢印Ｘ１方向側の面に接着された場合には、本体部５ｂは、水平方向に対して角度β（約３０度）で上方向（矢印Ｚ１方向）に傾斜するように配置される。したがって、浮き上がり規制部材５が用紙収納部２の後壁部２ｍに取り付けられた状態で、本体部５ｂは、用紙収納部２の後壁部２ｍの高さｈ１よりも高い位置に配置される。また、本体部５ｂの端部５ｄは、本体部５ｂが水平方向に対して角度β（約３０度）で傾斜するように配置されている状態で、水平方向に対して本体部５ｂが傾斜する角度βよりも大きい角度γ（約５０度〜約７０度）で傾斜するように折り曲げ加工されている。
【００３１】
また、一対の切欠部５ｃは、取付部５ａおよび本体部５ｂの境界部で、浮き上がり規制部材５の矢印Ｙ１方向側の端部および矢印Ｙ２方向側の端部にそれぞれ１つずつ設けられている。すなわち、取付部５ａおよび本体部５ｂの境界部における浮き上がり規制部材５の矢印Ｙ１およびＹ２方向側の幅ｄ１は、浮き上がり規制部材５の他の部分の幅ｄ２よりも小さくなるように形成されている。これにより、取付部５ａが用紙収納部２の後壁部２ｍに取り付けられた状態で、本体部５ｂが下方向（矢印Ｚ２方向）に押圧された場合に、取付部５ａおよび本体部５ｂの境界部が容易に撓み変形されて、本体部５ｂを容易に下方向（矢印Ｚ２方向）に移動することが可能である。さらに、取付部５ａおよび本体部５ｂの境界部が容易に撓み変形することによって、取付部５ａおよび後壁部２ｍの接着部に負担がかからないので、取付部５ａおよび後壁部２ｍが離間されるのを抑制することが可能である。
【００３２】
また、本実施形態では、用紙２０は、蓋部材３が開けられた状態で用紙収納部材２に収納される。具体的には、図８に示すように、蓋部材３が開けられた状態において、用紙収納部材２の後壁部２ｍに取り付けられた浮き上がり規制部材５の本体部５ｂは、後壁部２ｍの高さｈ１よりも高い位置に配置されており、この状態で、ユーザにより用紙２０は用紙収納部材２に収納される。これにより、用紙２０の収納に際して浮き上がり規制部材５の本体部５ｂが支障とならないので、ユーザは容易に用紙２０を用紙収納部材２に収納することが可能である。また、図１０に示すように、用紙２０の後端部が浮き上がる場合にも、用紙２０の後端部が浮き上がり規制部材５の本体部５ｂの下側面（矢印Ｚ２方向側の面）に当接し、浮き上がり規制部材５が用紙２０の後端部が浮き上がるのを規制するので、用紙２０は用紙収納部材２からはみ出すことなく、用紙収納部材２に収納される。
【００３３】
また、図１１に示すように、蓋部材３が閉じられることによって、用紙収納部材２の後壁部２ｍに取り付けられた浮き上がり規制部材５の本体５ｂは、後壁部２ｍの高さｈ１よりも低い位置に配置されるように構成されている。具体的には、浮き上がり規制部材５の本体部５ｂは、蓋部材３が閉じられることによって、蓋部材３の用紙収納部材２側の面に当接されて下方向（矢印Ｚ２方向）に押圧される。これにより、取付部５ａおよび本体部５ｂの境界部が撓み変形されて、本体部５ｂが下方向（矢印Ｚ２方向）に移動される。その結果、浮き上がり規制部材５の本体部５ｂは、用紙収納部材２の後壁部２ｍの高さｈ１よりも低い位置に配置される。この際、図１２に示すように、浮き上がり規制部材５の本体部５ｂは、後述する用紙２０の余白部２０ｂに当接することによって、用紙２０の後端部が浮き上がるのを規制するように構成されている。これにより、浮き上がり規制部材５の本体部５ｂは用紙２０の印刷領域２０ｃに当接しないので、浮き上がり規制部材５により印刷領域２０ｃが損傷されるのを抑制することが可能である。また、用紙２０が用紙収納部材２の後壁部２ｍの高さｈ１よりも低い位置に配置されるので、確実に用紙２０を用紙収納部材２の所定の位置に配置することができ、その結果、図１３に示すように、給紙ローラ１４は、複数の用紙２０のうちの最も上に積載されたものから順に、用紙２０を昇華型プリンタ１０の内部に搬送することが可能である。また、図１１に示すように、浮き上がり規制部材５の本体部５ｂの端部５ｄが折り曲げ加工されているため、昇華型プリンタ１０の所定の動作によって、用紙２０の後端部が本体部５ｂの矢印Ｘ１方向側から矢印Ｘ２方向側へ搬送方向と反対の方向に送り戻される場合にも、用紙２０の後端部がスムーズに本体部５ｂの下方に戻される。
【００３４】
また、本実施形態では、図１４に示すように、用紙２０の矢印Ｘ１方向側および矢印Ｘ２方向側の端部近傍には、それぞれ、矢印Ｙ１方向側の端部と矢印Ｙ２方向側の端部との間を直線状に結ぶミシン目２０ａが設けられている。ミシン目２０ａは、用紙２０の矢印Ｘ１方向側および矢印Ｘ２方向側の端部からそれぞれ所定の距離を隔てて形成されている。また、用紙２０の矢印Ｘ１方向側のミシン目２０ａよりも矢印Ｘ１方向側の領域の余白部２０ｂは、図１５に示すように、印刷後、ミシン目２０ａに沿って、用紙２０のミシン目２０ａよりも矢印Ｘ２方向側の印刷領域２０ｃから切り落とし可能に構成されている。また、用紙２０の矢印Ｘ２方向側のミシン目２０ａよりも矢印Ｘ２方向側の領域の余白部２０ｂも、印刷後、ミシン目２０ａに沿って、用紙２０のミシン目２０ａよりも矢印Ｘ１方向側の印刷領域２０ｃから切り落とし可能に構成されている。なお、用紙２０の余白部２０ｂは、それぞれ、印刷後にユーザにより切り離されるように構成されている。
【００３５】
本実施形態では、上記のように、用紙２０が収納される用紙収納部材２と、用紙２０の搬送方向の後端部が浮き上がるのを規制することが可能な浮き上がり規制部材５の本体部５ｂとを設けることによって、用紙２０の搬送方向の後端部が浮き上がる場合にも、浮き上がり規制部材５の本体部５ｂによって用紙２０の後端部の浮き上がりが規制される。これにより、本体部５ｂが、用紙２０の後端部が用紙収納部材２の後壁部２ｍからはみ出すのを抑制することができるので、用紙２０を搬送方向の所定の位置に配置することができる。また、用紙２０が用紙収納部材２に収納される際に、浮き上がり規制部材５の本体部５ｂを、用紙収納部材２の後壁部２ｍの高さｈ１よりも高い位置に配置することによって、ユーザが浮き上がり規制部材５の本体部５ｂを上方向に持ち上げることなく、用紙２０を浮き上がり規制部材５の本体部５ｂの下方に配置することができるので、容易に用紙２０を用紙収納部材２に収納することができる。したがって、この給紙カートリッジ１は、ユーザによる用紙２０の収納作業を煩雑化させることなく、用紙２０を搬送方向の所定の位置に配置することができる。
【００３６】
また、本実施形態では、用紙２０に、少なくとも後端部に、印刷後に切り落とされる余白部２０ｂを設け、浮き上がり規制部材５を、用紙２０の後端部に含まれる余白部２０ｂに当接することにより用紙２０の後端部が浮き上がるのを規制するように構成することによって、浮き上がり規制部材５の本体部５ｂが用紙２０の印刷される部分には当接されないので、用紙２０の印刷領域２０ｃが浮き上がり規制部材５によって損傷されるのを抑制することができる。
【００３７】
また、本実施形態では、浮き上がり規制部材５を、少なくとも用紙２０の搬送方向と直交する用紙２０の幅方向の両端部近傍に配置することによって、浮き上がる可能性の大きい用紙２０の幅方向の両端部が浮き上がるのを規制することができるので、確実に用紙２０を用紙収納部材２に収納することができる。
【００３８】
また、本実施形態では、浮き上がり規制部材５を、少なくとも上下方向に撓み変形可能に構成し、浮き上がり規制部材５を、下方に蓋部材３が閉じられる際に、撓み変形されることによって、用紙収納部材２の後壁部２ｍの高さｈ１よりも高い位置から後壁部２ｍの高さｈ１よりも低い位置に配置されるように移動されるように構成することによって、浮き上がり規制部材５にヒンジなどの回動機構を別途設けることなく、浮き上がり規制部材５を下方に移動させることができるので、部品点数を増加させることなく、浮き上がり規制部材５を移動させることができる。
【００３９】
また、図１６〜図１８は、図１に示した一実施形態による給紙カートリッジに浮き上がり規制部材を設けない比較例を示した図である。次に、図１６〜図１８を参照して、本発明の一実施形態による給紙カートリッジ１に浮き上がり規制部材５を設けない場合（比較例）について説明する。
【００４０】
図１６および図１７に示すように、用紙２０の後端部が用紙収納部材２の後壁部２ｍの高さｈ１（図１７参照）よりも高い位置まで浮き上がる場合があり、用紙２０の後端部が用紙収納部材２の後壁部２ｍからはみ出すので、用紙２０の後端部を後壁部２ｍの内側に収納することができない。また、用紙２０の後端部が用紙収納部材２の後壁部２ｍからはみ出した状態では、図１８に示すように、後端部がはみ出した用紙２０は給紙ローラ１４に当接されないので、昇華型プリンタ１０の内部に搬送されることなく、用紙収納部材２に残留されるという不都合が生じる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、昇華型プリンタに装着される給紙カートリッジに本発明を適用する例を示したが、本発明はこれに限らず、昇華型プリンタ以外の他の装置に装着される給紙カートリッジについても適用可能である。
【００４３】
また、上記実施形態では、用紙の矢印Ｘ１方向側の端部と矢印Ｘ２方向側の端部とに印刷後に切り落とされる余白部を設ける例を示したが、本発明はこれに限らず、たとえば、余白部を設けない構成にしてもよいし、矢印Ｙ１方向側および矢印Ｙ２方向側に設けるようにしてもよい。
【００４４】
また、上記実施形態では、一対の浮き上がり規制部材を、それぞれ、用紙収納部材の後壁部の矢印Ｙ１方向側および矢印Ｙ２方向側の端部近傍に設ける例を示したが、本発明はこれに限らず、用紙の後端部が浮き上がるのを規制することが可能であれば、１つの浮き上がり規制部材、または、３つ以上の複数の浮き上がり規制部材を用いてもよい。
【図面の簡単な説明】
【００４５】
【図１】本発明の一実施形態による給紙カートリッジを昇華型プリンタに取り付けた状態の全体構造を示した斜視図である。
【図２】図１に示した一実施形態による給紙カートリッジを昇華型プリンタから取り外した状態の全体構造を示した斜視図である。
【図３】図１に示した一実施形態による給紙カートリッジの蓋部材が用紙収納部材に対してスライドした状態を示した斜視図である。
【図４】図１に示した一実施形態による給紙カートリッジの蓋部材が用紙収納部材に対して開いた状態を示した斜視図である。
【図５】図１に示した一実施形態による給紙カートリッジを示した分解斜視図である。
【図６】図１に示した一実施形態による給紙カートリッジの用紙収納部材を示した斜視図である。
【図７】図１に示した一実施形態による給紙カートリッジの用紙収納部材を示した平面図である。
【図８】図１に示した一実施形態による給紙カートリッジの浮き上がり規制部材の周辺を示した図である。
【図９】図１に示した一実施形態による給紙カートリッジの浮き上がり規制部材の構成を示した斜視図である。
【図１０】図１に示した一実施形態による給紙カートリッジの浮き上がり規制部材の周辺を示した図である。
【図１１】図１に示した一実施形態による給紙カートリッジの浮き上がり規制部材の周辺を示した図である。
【図１２】図１に示した一実施形態による給紙カートリッジの用紙収納部材を示した平面図である。
【図１３】図１に示した一実施形態による給紙カートリッジの用紙押上げ部材の周辺を示した図である。
【図１４】図１に示した一実施形態による給紙カートリッジに収納される用紙を示した平面図である。
【図１５】図１に示した一実施形態による給紙カートリッジに収納される用紙を示した平面図である。
【図１６】図１に示した一実施形態による給紙カートリッジに浮き上がり規制部材を設けない比較例を示した図である。
【図１７】図１に示した一実施形態による給紙カートリッジに浮き上がり規制部材を設けない比較例を示した図である。
【図１８】図１に示した一実施形態による給紙カートリッジに浮き上がり規制部材を設けない比較例を示した図である。
【符号の説明】
【００４６】
１      給紙カートリッジ
２      用紙収納部材（用紙収納部）
２ｍ    後壁部（壁部）
３      蓋部材（蓋部）
５ｂ    本体部（浮き上がり規制部）
２０    用紙
２０ｂ  余白部
【図１】
0004470969.tif 000002
【図２】
0004470969.tif 000003
【図３】
0004470969.tif 000004
【図４】
0004470969.tif 000005
【図５】
0004470969.tif 000006
【図６】
0004470969.tif 000007
【図７】
0004470969.tif 000008
【図８】
0004470969.tif 000009
【図９】
0004470969.tif 000010
【図１０】
0004470969.tif 000011
【図１１】
0004470969.tif 000012
【図１２】
0004470969.tif 000013
【図１３】
0004470969.tif 000014
【図１４】
0004470969.tif 000015
【図１５】
0004470969.tif 000016
【図１６】
0004470969.tif 000017
【図１７】
0004470969.tif 000018
【図１８】
0004470969.tif 000019